(57)【要約】      （修正有）【課題】高品質係数を有し、すべての装着位置において高い等時値品質を維持する振動子を提供する。【解決手段】慣性要素４を備える機械式振動子１００は、固定底面２に対して固定位置の仮想枢軸Ｄの周りを振動する。慣性要素４は、複数の可撓性接続部５によって固定底面２に懸架される。各可撓性接続部５は変形可能なコンパス状の部材を含む。変形可能なコンパス状の部材は弾性ストリップ６を含む。弾性ストリップ６は、底面２に固定される第１のアーム８と、慣性要素４に固定される第２のアーム９を形成する。第１のアーム８と第２のアーム９は、変形可能なコンパス状の部材の頂点を画成する逆の先端１１で結合する。振動子１００の無応力の休止状態において、頂点の突出は枢軸Ｄの第１の側面上であり、第１のアーム８および第２のアーム９の端部８２、９４が突出する第２の側面と対向する。【選択図】図１
2019203890.tif 000002
【特許請求の範囲】
【請求項１】
機械式計時器振動子（１００）であって、計時器ムーブメント（２００）の地板（３）またはブリッジに固定されるように構成される少なくとも１つの底面（２）と、仮想枢軸（Ｄ）に垂直な枢動面（Ｐ）において、前記少なくとも１つの底面（２）に関する固定位置、または前記振動子（１００）が複数の前記底面（２）を有する場合は複数の前記底面（２）に関する固定位置の前記仮想枢軸（Ｄ）の周りを振動するように構成される少なくとも１つの慣性要素（４）とを含み、各前記慣性要素（４）は少なくとも１つの前記底面（２）に複数の可撓性接続部（５）によって懸架され、前記複数の可撓性接続部（５）はそれぞれ少なくとも１つの弾性ストリップ（６）を含み、前記可撓性接続部（５）は共に前記仮想枢軸（Ｄ）を画成する機械式計時器振動子（１００）であって、少なくとも１つの前記可撓性接続部（５）は、少なくとも１つの変形可能なコンパス状の部材（７）を含み、前記コンパス状の部材（７）は第１のアーム（８）を形成する前記弾性ストリップ（６）を備え、前記第１のアーム（８）は第１の端部（８２）に配置され、前記底面（２）に固定され、または前記底面（２）と一体化されるように構成され、前記枢動面（Ｐ）に突出して、別の前記弾性ストリップ（６）に対して角度をつけて移動可能であり、別の前記弾性ストリップ（６）は前記変形可能なコンパスの部材（７）の第２のアーム（９）を第２の端部（９４）に形成し、前記第２のアーム（９）は前記慣性要素（４）に固定され、または前記慣性要素（４）と一体化されるように構成され、前記第１のアーム（８）および前記第２のアーム（９）は、前記変形可能なコンパス状の部材（７）の仮想頂点（１０）を画成する逆の先端（１１）で結合し、直線は前記仮想枢軸（Ｄ）と前記仮想頂点（１０）の前記枢動面（Ｐ）への前記突出を結合するコンパス軸（Ｄ７）を形成することを特徴とし、前記振動子（１００）の無応力の休止状態において、前記仮想枢軸（Ｄ）および前記コンパス軸（Ｄ７）によって画成される前記仮想頂点（１０）の平面への前記突出は、前記仮想枢軸（Ｄ）の第１の側面であり、前記第１の端部（８２）および前記第２の端部（９４）が突出する第２の側面とは対向することを特徴とする、機械式計時器振動子（１００）。
【請求項２】
請求項１に記載の機械式振動子（１００）であって、前記振動子（１００）の前記無応力の休止状態において、前記突出によって前記枢動面（Ｐ）に形成される前記仮想頂点（１０）、前記仮想枢軸（Ｄ）、および前記第１の端部（８２）および／または前記第２の端部（９４）の角度は、１６０°と２００°の間であることを特徴とする、機械式振動子（１００）。
【請求項３】
請求項１に記載の機械式振動子（１００）であって、前記振動子（１００）の前記無応力の休止状態において、前記第１の端部（８２）および前記第２の端部（９４）の前記枢動面（Ｐ）への前記突出は一致することを特徴とする、機械式振動子（１００）。
【請求項４】
請求項１に記載の機械式振動子（１００）であって、前記第１のアーム（８）および前記第２のアーム（９）は、前記枢動面（Ｐ）への突出において前記コンパス軸（Ｄ７）に関して対称であることを特徴とする、機械式振動子（１００）。
【請求項５】
請求項１に記載の機械式振動子（１００）であって、前記割合Ｒ／Ｌは、０．１２と０．１８の間、または０．４７と０．５３との間であり、一方では、前記Ｒは、前記枢動面（Ｐ）への突出において、前記仮想枢軸（Ｄ）に対する頂点（１０）の前記偏心Ｒであり、他方では、前記Ｌは、前記枢動面（Ｐ）への突出において、前記頂点（１０）と、前記第１の端部（８２）または前記第２の端部（９４）との間の最短の長さＬであることを特徴とする、機械式振動子（１００）。
【請求項６】
請求項１に記載の機械式振動子（１００）であって、同一の可撓性接続部（５）に含まれる、前記変形可能なコンパス状の部材（７）のすべての前記コンパスの頂点（Ｄ７）のすべては前記枢動面（Ｐ）への突出において一致することを特徴とする、機械式振動子（１００）。
【請求項７】
請求項１に記載の機械式振動子（１００）であって、前記可撓性接続部（５）に含まれる、前記変形可能なコンパス状の部材（７）のすべての前記コンパスの頂点（Ｄ７）のすべては、前記枢動面（Ｐ）への突出において、前記仮想枢軸（Ｄ）上で交差することを特徴とする、機械式振動子（１００）。
【請求項８】
請求項１に記載の機械式振動子（１００）であって、前記第１の可撓性接続部（５）のすべては同一であることを特徴とする、機械式振動子（１００）。
【請求項９】
請求項１に記載の機械式振動子（１００）であって、前記可撓性接続部（５）に含まれる、前記変形可能なコンパス状の部材（７）のすべての前記コンパスの頂点（Ｄ７）のすべては、前記仮想枢軸（Ｄ）の周りに均一に角度をつけて配置されることを特徴とする、機械式振動子（１００）。
【請求項１０】
請求項１に記載の機械式振動子（１００）であって、少なくとも１つの前記変形可能なコンパス状の部材（７）は、前記振動子（１００）の前記無応力の休止状態において直線状である前記弾性ストリップ（６）を含むことを特徴とする、機械式振動子（１００）。
【請求項１１】
請求項１０に記載の機械式振動子（１００）であって、前記第１のストリップ（６）のすべては直線状であることを特徴とする、機械式振動子（１００）。
【請求項１２】
請求項１に記載の機械式振動子（１００）であって、少なくとも１つの前記変形可能なコンパス状の部材（７）は、前記第１のアーム（８）を前記枢動面（Ｐ）に平行な第１のレベル（Ｐ１）に有し、前記第２のアーム（９）を前記枢動面（Ｐ）に平行で、前記第１のレベル（Ｐ１）とは異なる第２のレベル（Ｐ２）に有することを特徴とする、機械式振動子（１００）。
【請求項１３】
請求項１２に記載の機械式振動子（１００）であって、各前記変形可能なコンパス状の部材（７）は前記第１のアーム（８）を前記枢動面（Ｐ）に平行な第１のレベル（Ｐ１）に有し、前記第２のアーム（９）を前記枢動面（Ｐ）に平行で、前記第１のレベル（Ｐ１）とは異なる第２のレベル（Ｐ２）に有することを特徴とする、機械式振動子（１００）。
【請求項１４】
請求項１に記載の機械式振動子（１００）であって、少なくとも１つの前記変形可能なコンパス状の部材（７）は、前記第１のアーム（８）と前記第２のアーム（９）とを含み、前記第１のアーム（８）と前記第２のアーム（９）の前記枢動面（Ｐ）への突出は、前記振動子（１００）の前記無応力の休止状態において、互いに重なることを特徴とする、機械式振動子（１００）。
【請求項１５】
請求項１４に記載の機械式振動子（１００）であって、各変形可能なコンパス状の部材（７）の前記第１のアーム（８）および前記第２のアーム（９）の前記枢動面（Ｐ）への前記突出は、前記振動子（１００）の前記無応力の休止状態において、互いに同一であることを特徴とする、機械式振動子（１００）。
【請求項１６】
請求項１４に記載の機械式振動子（１００）であって、各前記変形可能なコンパス状の部材（７）は、前記第１のアーム（８）と前記第２のアーム（９）とを含み、前記第１のアーム（８）と前記第２のアーム（９）の前記枢動面（Ｐ）への突出は、前記振動子（１００）の前記無応力の休止状態において、互いに重なることを特徴とする、機械式振動子（１００）。
【請求項１７】
請求項１に記載の機械式振動子（１００）であって、少なくとも１つの前記変形可能なコンパス状の部材（７）は前記第１のアーム（８）を有し、前記第１のアーム（８）は前記第２のアーム（９）より硬く、前記コンパス状の部材（７）の前記第２の端部（７４）に固定される前記慣性要素（４）より硬くないことを特徴とする、機械式振動子（１００）。
【請求項１８】
請求項１７に記載の機械式振動子（１００）であって、各前記変形可能なコンパス状の部材（７）は前記第１のアーム（８）を有し、前記第１のアーム（８）は前記第２のアーム（９）より硬く、前記コンパス状の部材（７）の前記第２の端部（７４）に固定される前記慣性要素（４）より硬くないことを特徴とする、機械式振動子（１００）。
【請求項１９】
請求項１に記載の機械式振動子（１００）であって、少なくとも１つの前記変形可能なコンパス状の部材（７）は前記第１のアーム（８）を有し、前記第１のアーム（８）前記第２のアーム（９）と同じくらい硬く、同一の弾性特性を有し、前記コンパス状の部材（７）の前記第２の端部（７４）に固定される前記慣性要素（４）より硬くないことを特徴とする、機械式振動子（１００）。
【請求項２０】
請求項１９に記載の機械式振動子（１００）であって、各前記変形可能なコンパス状の部材（７）は前記第１のアーム（８）を有し、前記第１のアーム（８）前記第２のアーム（９）と同じくらい硬く、同一の弾性特性を有し、前記コンパス状の部材（７）の前記第２の端部（７４）に固定される前記慣性要素（４）より硬くないことを特徴とする、機械式振動子（１００）。
【請求項２１】
請求項１に記載の機械式振動子（１００）であって、少なくとも１つの前記慣性要素（４）は、前記仮想枢軸（Ｄ）の方向に、前記可撓性接続部（５）のセットの両面に延在し、前記可撓性接続部（５）によって、前記底面（２）または複数の前記底面（２）に懸架されることを特徴とする、機械式振動子（１００）。
【請求項２２】
請求項１に記載の機械式振動子（１００）であって、各前記慣性要素（４）は、前記仮想枢軸（Ｄ）の方向に、前記可撓性接続部（５）のセットの両面に延在し、前記可撓性接続部（５）によって、前記底面（２）または複数の前記底面（２）に懸架されることを特徴とする、機械式振動子（１００）。
【請求項２３】
請求項１に記載の機械式振動子（１００）であって、少なくとも１つの前記慣性要素（４）は、前記可撓性接続部（５）以外には前記仮想枢軸（Ｄ）に対して軸方向軸受に欠け、放射状の軸受に欠け、前記可撓性接続部（５）によって、前記底面（２）または複数の前記底面（２）に懸架されることを特徴とする、機械式振動子（１００）。
【請求項２４】
請求項１に記載の機械式振動子（１００）であって、各前記慣性要素（４）は、前記可撓性接続部（５）以外には前記仮想枢軸（Ｄ）に対して軸方向軸受に欠け、放射状の軸受に欠け、前記可撓性接続部（５）によって、前記底面（２）または複数の前記底面（２）に懸架されることを特徴とする、機械式振動子（１００）。
【請求項２５】
請求項１に記載の機械式振動子（１００）であって、少なくとも１つの前記変形可能なコンパス状の部材（７）は、少なくとも１つの中間慣性ブロックを、前記第１のアーム（８）および／または前記第２のアーム（９）上で、および／または前記逆の先端（１１）上に含み、前記少なくとも１つの中間慣性ブロックは前記第１のアーム（８）および前記第２のアーム（９）より硬いことを特徴とする、機械式振動子（１００）。
【請求項２６】
請求項１に記載の機械式振動子（１００）であって、前記振動子（１００）は、３つの平行なレベルを前記仮想枢軸（Ｄ）の方向に含み、前記枢動面（Ｐ）への突出において、３つの同一の前記可撓性接続部（５）は互いに１２０°離間し、このように重なった前記３つの可撓性接続部（５）は、連続して、第１の上部アーム（８Ａ）と第２の上部アーム（９Ａ）とを有する上部コンパス状の部材（７Ａ）と、第１の中間アーム（８Ｂ）と第２の中間アーム（９Ｂ）とを有する中間コンパス状の部材（７Ｂ）と、第１の底部アーム（８Ｃ）と第２の底部アーム（９Ｃ）とを有する下部コンパス状の部材（７Ｃ）とを備えることを特徴とする、機械式振動子（１００）。
【請求項２７】
請求項１に記載の機械式振動子（１００）であって、各前記可撓性接続部（５）はケイ素および／または二酸化ケイ素、または少なくとも部分的な非晶質物、またはＤＬＣ、または水晶からなることを特徴とする、機械式振動子（１００）。
【請求項２８】
請求項１に記載の少なくとも１つの機械式振動子（１００）を備え、各前記振動子（１００）に含まれる各前記底面（２）を固定するための地板（３）またはブリッジを備える、計時器ムーブメント（２００）。
【請求項２９】
請求項２８に記載の少なくとも１つの計時器ムーブメント（２００）を含み、および／または請求項１に記載の少なくとも１つの機械式振動子（１００）を含む、腕時計（３００）。
【発明の詳細な説明】
【技術分野】
【０００１】
本発明は機械式計時器振動子に関する。本機械式計時器振動子は、計時器ムーブメントの地板またはブリッジに固定されるように構成される少なくとも１つの底面と、少なくとも１つの慣性要素とを備える。少なくとも１つの慣性要素は、少なくとも１つの底面に対する固定位置の仮想枢軸の周り、または振動子が複数の底面を有する場合は複数の底面に対する固定位置の仮想枢軸の周りを、仮想枢軸に垂直な枢動面において振動するように構成される。各慣性要素は、それぞれ少なくとも１つの弾性ストリップを含む複数の可撓性接続部によって、少なくとも１つの底面に懸架される。可撓性接続部は共に、仮想枢軸を画成する。
【０００２】
本発明はまた、少なくとも１つの前述の機械式振動子を含み、各振動子に含まれる各底面を固定するための地板またはブリッジを含む計時器ムーブメントに関する。
【０００３】
本発明はまた、少なくとも１つの前述の計時器ムーブメントを含み、および／または少なくとも１つの前述の機械式振動子を含む腕時計に関する。
【０００４】
本発明は、外部の物理的パラメータにほとんど影響されず、弾性ストリップを有する振動子を備える高精度な計時器の分野に関する。本振動子は、高品質係数を有し、すべての装着位置において高い等時値品質を維持する。
【背景技術】
【０００５】
計時器振動子の最新の研究によって、テンプの枢動および戻りのために、様々な種類の可撓性接続部が提供されてきた。
【０００６】
詳細には述べないが、これらの振動子を腕時計で用いるためには、以下の２つの条件が必ず満たさなければならないことに留意されたい。
−損失の補償は脱進機で可能であるが、歩度はできる限り振動振幅から独立していなければならない。
−歩度は、重力場において腕時計の配向から独立していなくてはならない。
【０００７】
様々な開示ではこれらの２つの必須の特性を確保することを考慮しているが、実際に行われたシミュレーションおよび試験では、特に装着時の特定の位置において、期待した結果を得ることがでないという欠点が示されている。
【０００８】
現在の開示は一般に、その適用が工業規模に制限され、一般にわずか１０°または１５°までという非常に低い振動振幅値を有するという欠点を有する。この制限は以下のいずれかの理由によって説明される。可撓性接続部を形成するストリップの応力によって、それ以上高くすることが不可能であるか、または前述の２つの条件（振幅から独立した歩度および重力場における腕時計の配向から独立した歩度）のうちの少なくとも１つがもはや満たされていないかである。
【０００９】
ＣＳＥＭ社による特許文献１は、一般に３０°の高振幅が実現可能な解決法を提案し、かなりの進歩を示している。ただし、歩度は依然として、重力場において腕時計の配向から独立していない。具体的には、位置Ｘ＋、Ｘ−、Ｙ＋、Ｙ−において、振幅の関数としての歩度の特性は互いに類似しているが、非常に優れている重力場に垂直な水平位に対応する振幅の関数としての歩度の特性とは非常にかけ離れている。
【００１０】
ＣＡＲＴＩＥＲ  ＩＮＴ社による特許文献２は、枢軸を持たないテンプを含む機械式振動子を開示する。同機械式振動子は、第１の平面に位置する縁と、計時器ムーブメントの非振動部分に固定可能な固定部材と、それぞれテンプを固定部材に接続する少なくとも２つのばねとを備える。固定部材はテンプと同軸である。少なくとも各ばねの主要部分は、非弾性的変形位置において、第１の平面または第１の平面に平行な平面から外に延在する。各ばねは第１の端部によって固定部材に固定され、第２の端部によってテンプに固定される。ばねの第１の端部を固定部材に取り付ける点は第１の平面外部に位置する。
【００１１】
ＨＯＬＴ社による特許文献３は、温度補償式電気機械共振器を開示する。同電気機械共振器は、温度効果を補償する素材からなる可撓性要素によって、共通の構造に対して懸架される２つの同軸で平行なリングを含み、２つのリングを同時に、かつ反対の方向で共振させるための手段を含む。可撓性要素とリングとの間の取り付け点、可撓性要素と構造との間の取り付け点は、リングの振動軸から同一の半径方向距離にある。
【００１２】
ＲＯＢＥＲＴ  ＦＡＶＲＥ  （ＭＯＶＡＤＯ）社による特許文献４も同様に、２つの同軸で平行な慣性質量を有し、複数の要素に懸架される捩り振動子を開示する。複数の要素はそれぞれ、慣性質量の振動軸を貫通する平面にジグザグな可撓性ストリップを有する。
【００１３】
ＣＳＥＭ社による特許文献５は、計時器用の回転振動子を開示する。同回転振動子は、振動子を計時器に組み立てることを可能にする支持要素と、テンプと、支持要素をテンプに接続し、テン輪に戻しトルクを行使可能な複数の可撓性ストリップと、テンプと一体化して取り付けられる縁とを備える。複数の可撓性ストリップは、少なくとも２つの可撓性ストリップを備える。少なくとも２つの可撓性ストリップは、振動子の平面に垂直な第１の平面に配置される第１のストリップと、振動子の平面に垂直である第２の平面に配置され、第１の平面の割線である第２のストリップとを含む。振動子の幾何学的振動軸は、第１の平面と第２の平面との交差によって画成される。この幾何学的振動軸は、それぞれの長さの８分の７の位置で第１および第２のストリップと交差する。
【００１４】
ＵＬＹＳＳＥ  ＮＡＲＤＩＮ社による特許文献６は、振動軸の周りを振動する枢軸を有さない機械式振動子を開示する。この振動子は、振動軸の中心に位置し、振動軸上に位置する第１の取り付け部分に取り付けられた縁と、計時器ムーブメントの枠に固定されることを目的とする取り付け部分と、縁と取り付け部分とを接続する複数の弾性システムとを含む。弾性システムの少なくとも一部は懸架され、枠とは離れている。
【先行技術文献】
【特許文献】
【００１５】
【特許文献１】欧州特許出願第３２９９９０５号
【特許文献２】欧州特許出願第３２７６４３１Ａ１号
【特許文献３】米国特許出願第３２７７３９４Ａ号
【特許文献４】米国特許出願第３３１８０８７Ａ号
【特許文献５】欧州特許出願第２９１１０１２Ａ１号
【特許文献６】欧州特許出願第２２７３３２３Ａ２号
【発明の概要】
【００１６】
本発明は、一般に少なくとも２５°までの高振幅に適切な可撓性接続部を備え、垂直装着位置における振幅の関数としての歩度特性が、水平位置で計測した歩度特性と同等である、機械式振動子の開発を提案する。
【００１７】
そのために、本発明は、請求項１に記載の機械式計時器振動子に関する。
【００１８】
本発明はまた、請求項２８に記載の計時器ムーブメントに関する。
【００１９】
本発明はまた、請求項２９に記載の腕時計に関する。
【図面の簡単な説明】
【００２０】
本発明の他の特徴および有利点は、添付図を参照して以下の詳細な説明を読むことによって明らかになるであろう。
【００２１】
【図１】本発明による、特定かつ非限定的実施形態における振動子の概略透視上面図を表す。単一の慣性要素は底面に懸架される。底面は、類似の特性を有する３つの可撓性接続部によってムーブメントの構造に固定される。３つの可撓性接続部は共に慣性要素の仮想枢軸を画成し、慣性要素の枢動面に平行かつ仮想枢軸に垂直な異なるレベルで重なる。
【図２】図１の振動子の概略上面図を表す。
【図３】図１または２の振動子の平面ＡＡに沿った、枢軸を貫通する断面図である。断面は2つの弾性ストリップを通り、２つの弾性ストリップは共に、この振動子の可撓性接続部に含まれる変形可能なコンパス状の部材を形成する。特定の変形において、コンパスのアームはこれらの２つの弾性ストリップによって形成され、枢動面に平行な２つの重なったレベルにあり、取り付け点と逆の位置のコンパスの仮想頂点との間に、使用可能な等しい長さを有する。本変形では、慣性要素は弾性ストリップのセットの両側に延在する。
【図４】図３と同様の方法で別の変形を例示する。使用可能な長さは異なり、ストリップの枢動面への突出は、コンパス頂部を含む１つの部分でのみ同一であり、可撓性接続部が画成する仮想枢軸の両側に延在する。
【図５】計時器ムーブメントを備える腕時計を表すブロック図である。計時器ムーブメントは、機械式振動子と、この振動子に含まれる底面とそれぞれ接続するための地板またはブリッジとを含む。
【図６】図３と同様の方法で別の変形を例示する。同一の可撓性接続部は６つの弾性ストリップの重層を含み、本事例では３つの変形可能なコンパス状の部材を形成する。
【図７】図２と同様の方法で別の変形の詳細を例示する。可撓性接続部を形成する弾性ストリップは直線状ではなく、枢動面に突出するコンパス状の部材の頂点を通るコンパス軸および仮想枢軸に対してのみ対称である。
【図８】図１または２の振動子の枢軸を通る平面ＡＡの断面図であり、それぞれが２つの平行なレベルに延在する可撓性ストリップの３つのレベルの重層を示す。
【図９】歩度図であり、歩度を一日当たりの秒単位で縦座標に表し、振幅の関数として度単位で横座標に表す。上の曲線は水平面の歩度に対応し、上の曲線に非常に近い下の曲線は、重力下で４つの異なる配向Ｘ＋、Ｘ−、Ｙ＋、Ｙ−における垂直面での歩度曲線の重層から得られる。
【図１０】図３と同様の方法で、上部可撓性接続部の平面で、別の変形を例示する断面である。慣性要素は弾性ストリップのセットの両側には延在せず、上部弾性ストリップの側にのみ延在する。
【図１１】図１０の変形の同一の平面の断面図であり、３つの可撓性接続部が可視である。
【図１２】図１０の変形の中間可撓性接続部の平面での断面である。
【発明を実施するための形態】
【００２２】
上記で提示された問題の困難さは、以下の２つの条件を満たす解決法を提供する振動子の可撓性ストリップの形状を決定することである。すなわち、工業的利用が可能な振幅を有しながら、歩度が振幅から独立していること、および歩度が重力場において腕時計の配向から独立していることである。工業的利用が可能な振幅は一般には２５°より大きく、好ましくは約３０°から４０°まで、またはさらに大きい。
【００２３】
本発明は、機械式計時器振動子１００に関する。本振動子１００は、計時器ムーブメント２００の地板３またはブリッジに取り付けられるように構成される少なくとも１つの底面２を含む。本振動子１００は、少なくとも１つの慣性要素４を含む。慣性要素４は、仮想枢軸Ｄに垂直な枢動面Ｐにおいて、底面が１つの場合はその底面２に対する固定位置の仮想枢軸Ｄの周りを振動するように構成され、振動子１００が複数の底面を有する場合はそれらの底面２に対する固定位置の仮想枢軸Ｄの周りを振動するように構成される。
【００２４】
各慣性要素４は、少なくとも１つのこのような底面２に、複数の可撓性接続部５によって懸架される。各可撓性接続部５は少なくとも１つの弾性ストリップ６を含む。これらの可撓性接続部５は共に、特定の幾何学的構成において、慣性要素４の枢動面Ｐに突出する仮想枢軸Ｄを画成する。
【００２５】
まず、本発明は、振動子の慣性質量である一般にはテンプが、縁から、可撓性接続部５を形成する弾性ストリップ６の内部支持要素まで延在する硬いアームを含むような構成を避けることを試みる。そのために、本発明では、以下の構成が好ましい。弾性ストリップ６が一方で慣性要素４の縁に固定され、他方で固定底面２において枠（ムーブメントの地板またはブリッジ）に固定され、定面２の端部は外径上、つまり、可撓性接続部５が画成する仮想枢軸Ｄから最も遠いところに位置する。
【００２６】
次に、本発明では、これらの弾性ストリップ６は枢軸Ｄにおいて異なる平行なレベルに配置されるため、ストリップが枢動面Ｐに明らかに突出して交差することが好ましい。当然のことながら、本発明の本構成は、従来技術よりも多くのレベルで重層が必要となるが、小さい寸法のストリップを収容できるようになる。そのため全体の容積に悪影響を与えずに、好ましくは慣性要素４自体の体積内で内接される。
【００２７】
本発明によれば、少なくとも１つのこのような可撓性接続部５は、少なくとも１つの変形可能なコンパス状の部材７を含む。
【００２８】
「コンパス」という用語は、好ましくは一部品型であり、コンパス頂部のいずれかの側に変形可能なアームを含む構成部品を簡潔な様式で記載するために選択される。アームは振動子の異なる構成部品に取り付けられる。本変形可能なコンパスは蝶番式ではなく、実際には占い棒に類似している。簡略化のために、本発明は、コンパス頂部の各側に単一のアームを備えるように例示するが、各側のアームの数は異なっていてもよいため、変形可能なコンパスの頂部の少なくとも片側に複数のアームを装備することを考案することも完全に可能である。
【００２９】
より具体的には、本変形可能なコンパス７は、第１のアーム８を形成する前述の弾性ストリップ６を含む。第１のアーム８は、第１の外端部８２で、前述の底面２に固定されるように配置され、または特に一部品型の実施形態では、底面２と一体化して配置される。本第１のアーム８は、別の弾性ストリップ６に対して枢動面Ｐに突出して、角度を付けて移動可能である。別の弾性ストリップ６は変形可能なコンパス７の第２のアーム９を形成する。第２の外端部９４において、本第２のアーム９は、慣性要素４に固定されるように構成され、または慣性要素４と一体化される。各変形可能なコンパス７の第１のアーム８および第２のアーム９は、逆の先端１１で結合する。逆の先端１１は、変形可能なコンパス７の仮想頂点１０を画成する。
【００３０】
本コンパスのアームは振動中に変形することを理解されたい。一般に、振動子の休止位置で直線状である特定のアームは、振動中に可変となる半径の実質的に弓型の形状を取り、その間、変形可能なコンパス７の頂点１０は、仮想枢軸Ｄに対して移動可能であり、振動子１００の休止位置において仮想枢軸Ｄから最も遠くなる。
【００３１】
本発明によれば、仮想頂点１０の枢動面Ｐへの突出は、仮想枢軸Ｄの第１の側面上にあり、第１の端部８２および第２の端部９４が突出する第２の側面に対向する。つまり、振動中に弾性ストリップ６が覆う幾何学的領域は、仮想枢軸Ｄと交差する。直線は、仮想枢軸Ｄと仮想頂点１０の枢動面Ｐへの突出とを結合するコンパス軸Ｄ７を形成する。振動子１００が無応力の休止状態にあるとき、仮想枢軸Ｄおよびコンパス軸Ｄ７によって画成される平面への仮想頂点１０の突出は、仮想枢軸Ｄの第１の側面にあり、第１の端部８２および第２の端部９４が突出する第２の側面に対向する。
【００３２】
より具体的には、枢動面Ｐへの突出によって形成される、仮想頂点１０、仮想枢軸Ｄおよび第１の端部８２および／または第２の端部９４の角度は、１６０°と２００°との間である。
【００３３】
より具体的には、図１から３の実施形態から分かるように、第１の端部８２および第２の端部９４の枢動面Ｐへの突出は一致する。
【００３４】
さらにより具体的には、振動子１００の無応力の休止状態において、第１のアーム８と第２のアーム９は、枢動面Ｐへの突出において、コンパス軸Ｄ７を形成する直線に対して対称である。コンパス軸Ｄ７は仮想枢軸Ｄと仮想頂点１０の突出を結合する。この仮想頂点１０の突出は仮想枢軸Ｄの第１の側面に位置し、第１の端部８２および第２の端部９４が突出する第２の側面に対向する。振動子１００の動作中、各変形可能なコンパス７は、したがってＶ字型を形成する。そのアームは外側で底面および慣性要素に取り付けられ、その先端（頂点）は自由である。好ましくは、振動子の休止位置において、Ｖ字型は閉鎖し、第１のアーム８および第２のアーム９は重なる。
【００３５】
好ましくは、割合Ｒ／Ｌは０．１２と０．１８の間、または０．４７と０．５３との間である。一方では、割合Ｒ／ＬのＲは、枢動面Ｐへの突出において、仮想枢軸Ｄに対する頂点１０の偏心Ｒであり、他方では、Ｌは、枢動面Ｐへの突出において、頂点１０と、第１の端部８２または第２の端部９４との間の最短の長さＬである。より具体的には、頂点１０と、一方の第１の端部８２と、他方の第２の端部９４との間の長さＬは、枢動面Ｐへの突出において、図３から分かるように等しい。
【００３６】
具体的には、同一の可撓性接続部５に含まれるすべての変形可能なコンパス７のすべてのコンパスの頂点Ｄ７は、枢動面Ｐへの突出において一致する。
【００３７】
具体的には、可撓性接続部５に含まれるすべての変形可能なコンパス７のすべてのコンパスの頂点Ｄ７は、枢動面Ｐへの突出において、仮想枢軸Ｄで交差する。
【００３８】
さらにより具体的には、すべての可撓性接続部５は同一である。
【００３９】
具体的には、可撓性接続部５に含まれるすべての変形可能なコンパス７のすべてのコンパスの頂点Ｄ７は、均一に角度を付けて仮想枢軸Ｄの周りに配置される。
【００４０】
具体的な実施形態では、少なくとも１つの変形可能なコンパス７は直線状の弾性ストリップ６を有する。より具体的には、すべての弾性ストリップ６は直線状である。
【００４１】
好ましくは、しかし限定的ではなく、少なくとも１つの変形可能なコンパス７は第１のアーム８を枢動面Ｐに平行な第１のレベルＰ１に有し、第２のアーム９を枢動面Ｐに平行で第１のレベルＰ１とは異なる第２のレベルＰ２に有する。本振動子を屈曲したストリップを用いて構成することも可能である。ただし、これによって、複雑さと大きさが増加し、明らかな有利点はない。より具体的には、各変形可能なコンパス７は第１のアーム８を枢動面Ｐに平行な第１のレベルＰ１に有し、第２のアーム９を枢動面Ｐに平行で第１のレベルＰ１とは異なる第２のレベルＰ２に有する。
【００４２】
有利には、少なくとも１つの変形可能なコンパス７は、第１のアーム８と第２のアーム９を有する。第１のアーム８と第２のアーム９の枢動面Ｐへの突出は、振動子１００の無応力の休止状態において、互いに重なる。より具体的には、第１のアーム８および第２のアーム９の枢動面Ｐの突出は、振動子１００の無応力の休止状態において、互いに同一である。
【００４３】
具体的には、図３および８から分かるように、少なくとも１つの慣性要素４は仮想枢軸Ｄの方向に、可撓性接続部５のセットの両側に延在する。可撓性接続部５のセットによって、慣性要素４は、上面ＰＳと下面ＰＩとの間で底面２または複数の底面２に懸架される。より具体的には、各慣性要素４は、仮想枢軸Ｄの方向に、可撓性接続部５のセットの両側に延在する。可撓性接続部５のセットによって、慣性要素４は、底面２または複数の底面２に懸架される。
【００４４】
有利には、少なくとも１つの慣性要素４は、可撓性接続部５以外には仮想枢軸Ｄに対して軸方向軸受に欠け、放射状の軸受に欠けている。可撓性接続部５によって、慣性要素４は底面２または複数の底面２に懸架される。より具体的には、各慣性要素４は、可撓性接続部５以外には仮想枢軸Ｄに対して軸方向軸受に欠け、放射状の軸受に欠けている。可撓性接続部５によって、慣性要素４は底面２または複数の底面２に懸架される。
【００４５】
具体的な実施形態において、少なくとも１つの変形可能なコンパス７は、第１のアーム８および第２のアーム９より硬い少なくとも１つの中間慣性ブロックを、第１のアーム８および／または第２のアーム９上に、および／または逆の先端１１上に含む。ただし、逆の先端１１における慣性ブロックは過剰に思われる。図が例示する変形は、第１のアーム８と第２のアーム９との間の機械式結合部を提供することに限定される。
【００４６】
図１、２および９の有利な実施形態では、振動子１００は、仮想枢軸Ｄの方向に同一のレベルで、３つの同一の可撓性接続部５を含む。３つの可撓性接続部５は互いに１２０°離間する。本構成において、割合Ｒ／Ｌは０．１２と０．１８の間、または０．４７と０．５３との間である。一方では、割合Ｒ／ＬのＲは、枢動面Ｐへの突出において、仮想枢軸Ｄに対する頂点１０の偏心Ｒであり、他方では、Ｌは、枢動面Ｐへの突出において、頂点１０と、第１の端部８２または第２の端部９４との間の最短の長さＬである。弾性ストリップ６はケイ素および／または二酸化ケイ素からなり、それぞれ長さ１．００ｍｍ、高さ０．１５ｍｍ、厚さ２５．８マイクロメートルを有し、値λ＝Ｒ／Ｌは−０．４９６である。
【００４７】
図は、前述の様式で重なる３つの可撓性接続部を備える様々な変形を例示する。３つの可撓性接続部は平面Ｐへの突出において１２０°離間して配置される。上部コンパス７Ａは第１の上部アーム８Ａと第２の上部アーム９Ａとを有し、中間コンパス７Ｂは第１の中間アーム８Ｂと第２の中間アーム９Ｂとを有し、底部コンパス７Ｃは第１の底部アーム８Ｃと第２の底部アーム９Ｃとを有する。
【００４８】
具体的には、振動子１００は、仮想枢軸Ｄの方向の同一のレベルに、奇数の可撓性接続部５を含む。奇数の可撓性接続部５は、振動子の自動作動を促進するために、好ましくは同一である。
【００４９】
一般に、腕時計振動子の弾性ストリップ６に適切な寸法は、長さ０．５０から４．００ｍｍ、高さ０．１０から０．５０ｍｍ、厚さ１０から４０マイクロメートルであり、Ｒ／Ｌは０．１０と０．２０の間、または０．４５と０．５５の間であり、より具体的には０．１２と０．１８の間、または０．４７と０．５３との間である。
【００５０】
図４は、具体的な事例を例示する。弾性ストリップ６の使用可能な長さは異なり、枢動面Ｐへのストリップの突出は、１つの部分でのみ同一である。この１つの部分はコンパスの頂点１０を含み、可撓性接続部５が画成する仮想枢軸Ｄの両側に延在する。たとえば異なる厚さ、異なる形状などを有する非対称のアームも考案可能である。
【００５１】
図９は、別の変形を例示する。可撓性接続部を形成する弾性ストリップは直線状ではなく、枢動面への突出において、コンパス頂部を貫通するコンパス軸および仮想枢軸に対してのみ対称である。形状には制限はなく、ストリップはト音記号または、らせんなどのストリップの全長が延在できるような任意の形状でよい。
【００５２】
各可撓性接続部５はケイ素および／または二酸化ケイ素、または少なくとも部分的な非晶質物、またはダイヤモンドライクカーボン（ＤＬＣ）、または水晶または類似物質からなっていてもよい。
【００５３】
本発明はまた、少なくとも１つの前述の機械式振動子１００を備え、各振動子１００に含まれる各底面２を固定するための地板３またはブリッジを備える計時器ムーブメント２００に関する。
【００５４】
本発明はまた、少なくとも１つの前述の計時器ムーブメント２００を含み、および／または少なくとも１つの前述の機械式振動子１００を含む腕時計３００に関する。
【００５５】
もちろん、
−可撓性接続部の数
−可撓性接続部ごとの弾性ストリップ対の数
−可撓性接続部の弾性ストリップ間の角度
−割合Ｒ／Ｌ
−少なくとも１つの硬い部分を弾性ストリップに追加することによって慣性ブロック
を変動することも可能である。
【符号の説明】
【００５６】
２      ：底面
３      ：地板
４      ：慣性要素
５      ：可撓性接続部
６      ：弾性ストリップ
７      ：コンパス
７Ａ    ：上部コンパス
７Ｂ    ：中間コンパス
７Ｃ    ：下部コンパス
８      ：第１のアーム
８Ａ    ：第１の上部アーム
８Ｂ    ：第１の中間アーム
８Ｃ    ：第１の下部アーム
９      ：第２のアーム
９Ａ    ：第２の上部アーム
９Ｂ    ：第２の中間アーム
９Ｃ    ：第２の下部アーム
１０    ：仮想頂点
１１    ：先端
８２    ：第１の端部
９４    ：第２の端部
１００  ：機械式計時器振動子
２００  ：計時器ムーブメント
３００  ：腕時計
Ｄ      ：仮想枢軸
Ｄ７    ：コンパス軸
Ｐ      ：枢動面
Ｐ１    ：第１のレベル
Ｐ２    ：第２のレベル
ＰＩ    ：下面
ＰＳ    ：上面
Ｒ      ：偏心
【図１】
2019203890.tif 000003
【図２】
2019203890.tif 000004
【図３】
2019203890.tif 000005
【図４】
2019203890.tif 000006
【図５】
2019203890.tif 000007
【図６】
2019203890.tif 000008
【図７】
2019203890.tif 000009
【図８】
2019203890.tif 000010
【図９】
2019203890.tif 000011
【図１０】
2019203890.tif 000012
【図１１】
2019203890.tif 000013
【図１２】
2019203890.tif 000014
【外国語明細書】
2019203890000001.pdf